(57)【要約】【課題】電子ペンの電子ペン用媒体に対するタップ回数をカウントし、各タップ回数に応じて所定の処理を実行する端末装置、それに用いられるプログラム及び情報処理システムを提供する。【解決手段】利用者は、電子ペン１０Ａにより電子ペン用媒体における任意のユーザエリアをタップする。端末装置２５Ａは、電子ペン１０Ａから記入内容に対応する記入情報を取得し、当該記入情報に含まれる座標データに基づいて定義情報を参照することで、利用者がタップしたユーザエリアを認識する。また、端末装置２５Ａは、記入情報に基づいて、認識したユーザエリアへのタップ回数をカウントし、タップ回数が変化する度に、ユーザエリア及び変化後のタップ回数に基づいて出力情報から対応する音声データを抽出して音声を出力する。よって、カウントした各タップ回数に応じて異なる音声を利用者にフィードバックすることができる。【選択図】図１１
2008204216.tif 000002
【特許請求の範囲】
【請求項１】
電子ペンにより認識可能なコード化パターンが印刷され、１つ以上のユーザエリアが設定された電子ペン用媒体に記入された情報を処理する端末装置であって、
音声データに基づいて音声を出力する音声出力部と、
前記ユーザエリアと、前記コード化パターン上における前記ユーザエリアの位置座標を示す座標データと、前記電子ペンによるタップ回数と、前記タップ回数毎に設定された異なる音声データとを対応付けた出力情報を記憶する情報記憶手段と、
前記電子ペンから、前記電子ペン用媒体への記入内容に対応する記入情報を取得する記入情報取得手段と、
前記記入情報に含まれる座標データに基づいて前記出力情報を参照することで前記ユーザエリアを認識するユーザエリア認識手段と、
前記記入情報に基づいて、前記ユーザエリア認識手段が認識したユーザエリアがタップされた回数であるタップ回数をカウントするタップ回数カウント手段と、
前記タップ回数カウント手段がカウントしたタップ回数が変化したか否かを判定する変化判定手段と、
タップ回数が変化したと前記変化判定手段が判定した場合に、前記ユーザエリア認識手段が認識したユーザエリアと、前記タップ回数カウント手段がカウントしたタップ回数とに基づいて、前記出力情報から対応する音声データを抽出するデータ抽出手段と、
前記データ抽出手段が抽出した音声データに基づく音声を前記音声出力部から出力させる処理実行手段と、を備えることを特徴とする端末装置。
【請求項２】
前記電子ペンは、取得した記入情報を即時的且つ逐次的に前記端末装置へ送信することを特徴とする請求項１に記載の端末装置。
【請求項３】
前記記入情報に基づいて、データ開始点及びデータ終了点を特定する開始終了点特定手段をさらに備え、
前記ユーザエリア認識手段は、前記データ開始点及び前記データ終了点の座標データに基づいて前記出力情報を参照することで、当該データ開始点及び当該データ終了点の双方が含まれる前記ユーザエリアを認識するものであり、
前記タップ回数カウント手段は、前記データ開始点及び前記データ終了点に基づく時間及び／又は両点間の移動距離により、前記ユーザエリア認識手段が認識したユーザエリアがタップされた回数であるタップ回数をカウントすることを特徴とする請求項１又は２に記載の端末装置。
【請求項４】
前記タップ回数カウント手段は、前記記入情報取得手段が取得した記入情報に基づくタップが、前記ユーザエリア認識手段が認識したユーザエリアに対する最後のタップから、予め設定された所定読取時間以上経過している場合、タップ回数を初期値にリセットしてからカウントすることを特徴とする請求項１乃至３のいずれか一項に記載の端末装置。
【請求項５】
前記出力情報として記憶される音声データは、各ユーザエリアに対応して設定された単語及び／又は熟語について、タップ回数によって異なる意味及び／又は用例が発声される音声データであることを特徴とする請求項１乃至４のいずれか一項に記載の端末装置。
【請求項６】
電子ペンにより認識可能なコード化パターンが印刷され、１つ以上のユーザエリアが設定された電子ペン用媒体に記入された情報を処理するコンピュータにより実行されるプログラムであって、
前記コンピュータは、音声データに基づいて音声を出力する音声出力部を備え、
前記プログラムは、
前記ユーザエリアと、前記コード化パターン上における前記ユーザエリアの位置座標を示す座標データと、前記電子ペンによるタップ回数と、前記タップ回数毎に設定された異なる音声データとを対応付けた出力情報を記憶する情報記憶手段、
前記電子ペンから、前記電子ペン用媒体への記入内容に対応する記入情報を取得する記入情報取得手段、
前記記入情報に含まれる座標データに基づいて前記出力情報を参照することで前記ユーザエリアを認識するユーザエリア認識手段、
前記記入情報に基づいて、前記ユーザエリア認識手段が認識したユーザエリアがタップされた回数であるタップ回数をカウントするタップ回数カウント手段、
前記タップ回数カウント手段がカウントしたタップ回数が変化したか否かを判定する変化判定手段、
タップ回数が変化したと前記変化判定手段が判定した場合に、前記ユーザエリア認識手段が認識したユーザエリアと、前記タップ回数カウント手段がカウントしたタップ回数とに基づいて、前記出力情報から対応する音声データを抽出するデータ抽出手段、
前記データ抽出手段が抽出した音声データに基づく音声を前記音声出力部から出力させる処理実行手段、として前記コンピュータを機能させることを特徴とするプログラム。
【請求項７】
電子ペンにより認識可能なコード化パターンが印刷され、１つ以上のユーザエリアが設定された電子ペン用媒体に記入された情報を処理する端末装置であって、
前記ユーザエリアと、前記コード化パターン上における前記ユーザエリアの位置座標を示す座標データと、前記電子ペンによるタップ回数と、前記タップ回数毎に設定された異なる処理を実行する処理データとを対応付けた実行情報を記憶する情報記憶手段と、
前記電子ペンから、前記電子ペン用媒体への記入内容に対応する記入情報を取得する記入情報取得手段と、
前記記入情報に含まれる座標データに基づいて前記実行情報を参照することで前記ユーザエリアを認識するユーザエリア認識手段と、
前記記入情報に基づいて、前記ユーザエリア認識手段が認識したユーザエリアがタップされた回数であるタップ回数をカウントするタップ回数カウント手段と、
前記タップ回数カウント手段がカウントしたタップ回数が変化したか否かを判定する変化判定手段と、
タップ回数が変化したと前記変化判定手段が判定した場合に、前記ユーザエリア認識手段が認識したユーザエリアと、前記タップ回数カウント手段がカウントしたタップ回数とに基づいて、前記実行情報から対応する処理データを抽出する処理データ抽出手段と、
前記処理データ抽出手段が抽出した処理データに基づいて所定の処理を実行する処理実行手段と、を備えることを特徴とする端末装置。
【請求項８】
電子ペンにより認識可能なコード化パターンが印刷され、１つ以上のユーザエリアが設定された電子ペン用媒体に記入された情報を処理するコンピュータにより実行されるプログラムであって、
前記プログラムは、
前記ユーザエリアと、前記コード化パターン上における前記ユーザエリアの位置座標を示す座標データと、前記電子ペンによるタップ回数と、前記タップ回数毎に設定された異なる処理を実行する処理データとを対応付けた実行情報を記憶する情報記憶手段、
前記電子ペンから、前記電子ペン用媒体への記入内容に対応する記入情報を取得する記入情報取得手段、
前記記入情報に含まれる座標データに基づいて前記実行情報を参照することで前記ユーザエリアを認識するユーザエリア認識手段、
前記記入情報に基づいて、前記ユーザエリア認識手段が認識したユーザエリアがタップされた回数であるタップ回数をカウントするタップ回数カウント手段、
前記タップ回数カウント手段がカウントしたタップ回数が変化したか否かを判定する変化判定手段と、
タップ回数が変化したと前記変化判定手段が判定した場合に、前記ユーザエリア認識手段が認識したユーザエリアと、前記タップ回数カウント手段がカウントしたタップ回数とに基づいて、前記実行情報から対応する処理データを抽出する処理データ抽出手段、
前記処理データ抽出手段が抽出した処理データに基づいて所定の処理を実行する処理実行手段、として前記コンピュータを機能させることを特徴とするプログラム。
【請求項９】
コード化パターンが印刷され、１つ以上のユーザエリアが形成された電子ペン用媒体と、
前記電子ペン用媒体に印刷されたコード化パターンを記入情報として読み取り、外部に送信する電子ペンと、
前記電子ペンにより送信された前記記入情報を取得し、所定の処理を実行する端末装置とを備える情報処理システムであって、
前記端末装置は、
前記ユーザエリアと、前記コード化パターン上における前記ユーザエリアの位置座標を示す座標データと、前記電子ペンによるタップ回数と、前記タップ回数毎に設定された異なる処理を実行する処理データとを対応付けた実行情報を記憶する情報記憶手段と、
前記電子ペンから、前記記入情報を取得する記入情報取得手段と、
前記記入情報に含まれる座標データに基づいて前記実行情報を参照することで前記ユーザエリアを認識するユーザエリア認識手段と、
前記記入情報に基づいて、前記ユーザエリア認識手段が認識したユーザエリアがタップされた回数であるタップ回数をカウントするタップ回数カウント手段と、
前記タップ回数カウント手段がカウントしたタップ回数が変化したか否かを判定する変化判定手段と、
タップ回数が変化したと前記変化判定手段が判定した場合に、前記ユーザエリア認識手段が認識したユーザエリアと、前記タップ回数カウント手段がカウントしたタップ回数とに基づいて、前記実行情報から対応する処理データを抽出する処理データ抽出手段と、
前記処理データ抽出手段が抽出した処理データに基づいて所定の処理を実行する処理実行手段と、を備えることを特徴とする情報処理システム。
【発明の詳細な説明】
【技術分野】
【０００１】
本発明は、電子ペンにより電子ペン用媒体等に記入された記入情報を処理する技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている（特許文献１参照）。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献２）。
【０００３】
【特許文献１】特表２００３−５１１７６１号公報
【特許文献２】特開２００４−１５３６１２号公報
【発明の開示】
【発明が解決しようとする課題】
【０００４】
そこで本発明は、電子ペンの電子ペン用媒体に対するタップ回数をカウントし、各タップ回数に応じた所定の処理を実行する端末装置、それに用いられるプログラム及び情報処理システムを提供することを目的とする。
【課題を解決するための手段】
【０００５】
本発明に係る端末装置は、電子ペンにより認識可能なコード化パターンが印刷され、１つ以上のユーザエリアが設定された電子ペン用媒体に記入された情報を処理する端末装置であって、音声データに基づいて音声を出力する音声出力部と、前記ユーザエリアと、前記コード化パターン上における前記ユーザエリアの位置座標を示す座標データと、前記電子ペンによるタップ回数と、前記タップ回数毎に設定された異なる音声データとを対応付けた出力情報を記憶する情報記憶手段と、前記電子ペンから、前記電子ペン用媒体への記入内容に対応する記入情報を取得する記入情報取得手段と、前記記入情報に含まれる座標データに基づいて前記出力情報を参照することで前記ユーザエリアを認識するユーザエリア認識手段と、前記記入情報に基づいて、前記ユーザエリア認識手段が認識したユーザエリアがタップされた回数であるタップ回数をカウントするタップ回数カウント手段と、前記タップ回数カウント手段がカウントしたタップ回数が変化したか否かを判定する変化判定手段と、タップ回数が変化したと前記変化判定手段が判定した場合に、前記ユーザエリア認識手段が認識したユーザエリアと、前記タップ回数カウント手段がカウントしたタップ回数とに基づいて、前記出力情報から対応する音声データを抽出するデータ抽出手段と、前記データ抽出手段が抽出した音声データに基づく音声を前記音声出力部から出力させる処理実行手段と、を備えることを特徴とする。
【０００６】
この構成によれば、利用者が電子ペンにより電子ペン用媒体のユーザエリアを軽く叩いてタップすると、電子ペンは電子ペン用媒体へのタップによる記入情報を端末装置に送信する。そして、端末装置では、記入情報取得手段によってその記入情報が取得され、ユーザエリア認識手段が、記入情報取得手段により取得された記入情報に含まれる座標データに基づいて、情報記憶手段に記憶された出力情報を参照し、ユーザエリアを認識する。さらに、タップ回数カウント手段は、記入情報に基づいて、ユーザエリア認識手段が認識したユーザエリアにおいてタップされたタップ回数をカウントし、変化判定手段は、タップ回数カウント手段によるカウントが変化したか否かを判定する。タップ回数カウント手段は、ユーザエリア認識手段が認識したユーザエリアにおいてタップされたタップ回数をカウントするものであり、変化判定手段は、タップ回数が変化したか否かを判定する。タップ回数カウント手段によるカウントが変化した場合、データ抽出手段は、情報記憶手段に記憶された出力情報から、カウントされたタップ回数とユーザエリア認識手段が認識したユーザエリアとに対応する音声データを抽出する。そして、処理実行手段は、データ抽出手段が抽出した音声データに基づく音声を音声出力部から出力させる。このように、端末装置は、利用者によって同一のユーザエリアがタップされたタップ回数をカウントし、各タップ回数に応じて音声データに基づく音声を出力することができる。また、音声データごとにユーザエリアを電子ペン用媒体に設定する必要もないため、電子ペン用媒体におけるユーザエリアを集約することができ、電子ペン用媒体の省スペース化を実現することができて、電子ペン用媒体のデザイン自由度を向上させることができる。
【０００７】
上記のような構成において、電子ペンは、取得した記入情報を即時的且つ逐次的に端末装置へ送信するとよい。これにより、利用者が電子ペンで電子ペン用媒体のユーザエリアにタップを行うと、端末装置によってリアルタイムで即座に音声データの出力による利用者への案内が行われるため、利用者の操作性が高まる。
【０００８】
さらに、上記端末装置において、前記記入情報に基づいて、データ開始点及びデータ終了点を特定する開始終了点特定手段をさらに備え、前記ユーザエリア認識手段は、前記データ開始点及び前記データ終了点の座標データに基づいて前記出力情報を参照することで、当該データ開始点及び当該データ終了点の双方が含まれる前記ユーザエリアを認識するものであり、前記タップ回数カウント手段は、前記データ開始点及び前記データ終了点に基づく時間及び／又は両点間の移動距離により、前記ユーザエリア認識手段が認識したユーザエリアがタップされた回数であるタップ回数をカウントすると好適である。
【０００９】
このように構成された端末装置によれば、開始終了点特定手段が記入情報に基づき、データ開始点及びデータ終了点を特定し、ユーザエリア認識手段は、開始終了点特定手段によって特定されたデータ開始点とデータ終了点の座標データに基づき出力情報を参照して、当該データ開始点及び当該データ終了点の双方が含まれるユーザエリアを認識する。そして、タップ回数カウント手段は、データ開始点及びデータ終了点に基づく時間及び／又は両点間の移動距離により、ユーザエリア認識手段が認識したユーザエリアに対してタップされたタップ回数をカウントする。このように、利用者が電子ペン用媒体に記入したストロークのうち、タップ回数としてカウントするのは、一つのユーザエリアにデータ開始点及びデータ終了点の双方が含まれるものが対象となる。これにより、利用者が電子ペン用媒体に記入したストロークのデータ開始点及びデータ終了点のいずれかがユーザエリアの範囲外にある場合には、利用者が特定のユーザエリアに関する音声データを端末装置から出力させようと意図したものではないと判定することができる。また、タップ回数カウント手段によって、データ開始点及びデータ終了点に基づく時間及び／又は両点間の移動距離に基づいて、利用者の記入したストロークが、タップであるか否か判定され、文字や図柄とは区別される。
【００１０】
さらに、上記端末装置において、前記タップ回数カウント手段は、前記記入情報取得手段が取得した記入情報に基づくタップが、前記ユーザエリア認識手段が認識したユーザエリアに対する最後のタップから、予め設定された所定読取時間以上経過している場合、タップ回数を初期値にリセットしてからカウントすることを特徴とする。このように構成された端末装置によれば、タップ回数カウント手段は、記入情報に基づく新たなタップが、ユーザエリア認識手段が認識したユーザエリアに対する最後のタップから所定読取時間以上経過しているか否かを判定し、当該所定読取時間以上経過している場合、タップ回数を初期値（例えば「０」）にリセットしてからカウントする。これによれば、所定読取時間以上間隔のあいたタップ同士は、タップ回数としては別々にカウントされるため、タップ回数を的確にカウントすることができる。
【００１１】
さらに、出力情報として記憶される音声データは、各ユーザエリアに対応して設定された単語及び／又は熟語について、タップ回数によって異なる意味及び／又は用例が発声される音声データであるとよい。これにより、各ユーザエリアに対応する単語や熟語について、電子ペン用媒体へのタップ回数が変化する度に、当該単語や熟語の異なる意味や用例を音声出力させることができる。
【００１２】
また、本発明に係るプログラムは、電子ペンにより認識可能なコード化パターンが印刷され、１つ以上のユーザエリアが設定された電子ペン用媒体に記入された情報を処理するコンピュータにより実行されるプログラムであって、前記コンピュータは、音声データに基づいて音声を出力する音声出力部を備え、前記プログラムは、前記ユーザエリアと、前記コード化パターン上における前記ユーザエリアの位置座標を示す座標データと、前記電子ペンによるタップ回数と、前記タップ回数毎に設定された異なる音声データとを対応付けた出力情報を記憶する情報記憶手段、前記電子ペンから、前記電子ペン用媒体への記入内容に対応する記入情報を取得する記入情報取得手段、前記記入情報に含まれる座標データに基づいて前記出力情報を参照することで前記ユーザエリアを認識するユーザエリア認識手段、前記記入情報に基づいて、前記ユーザエリア認識手段が認識したユーザエリアがタップされた回数であるタップ回数をカウントするタップ回数カウント手段、前記タップ回数カウント手段がカウントしたタップ回数が変化したか否かを判定する変化判定手段、タップ回数が変化したと前記変化判定手段が判定した場合に、前記ユーザエリア認識手段が認識したユーザエリアと、前記タップ回数カウント手段がカウントしたタップ回数とに基づいて、前記出力情報から対応する音声データを抽出するデータ抽出手段、前記データ抽出手段が抽出した音声データに基づく音声を前記音声出力部から出力させる処理実行手段、として前記コンピュータを機能させることを特徴とする。
【００１３】
また、本発明に係る端末装置は、電子ペンにより認識可能なコード化パターンが印刷され、１つ以上のユーザエリアが設定された電子ペン用媒体に記入された情報を処理する端末装置であって、前記ユーザエリアと、前記コード化パターン上における前記ユーザエリアの位置座標を示す座標データと、前記電子ペンによるタップ回数と、前記タップ回数毎に設定された異なる処理を実行する処理データとを対応付けた実行情報を記憶する情報記憶手段と、前記電子ペンから、前記電子ペン用媒体への記入内容に対応する記入情報を取得する記入情報取得手段と、前記記入情報に含まれる座標データに基づいて前記実行情報を参照することで前記ユーザエリアを認識するユーザエリア認識手段と、前記記入情報に基づいて、前記ユーザエリア認識手段が認識したユーザエリアがタップされた回数であるタップ回数をカウントするタップ回数カウント手段と、前記タップ回数カウント手段がカウントしたタップ回数が変化したか否かを判定する変化判定手段と、タップ回数が変化したと前記変化判定手段が判定した場合に、前記ユーザエリア認識手段が認識したユーザエリアと、前記タップ回数カウント手段がカウントしたタップ回数とに基づいて、前記実行情報から対応する処理データを抽出する処理データ抽出手段と、前記処理データ抽出手段が抽出した処理データに基づいて所定の処理を実行する処理実行手段と、を備えることを特徴とする。
【００１４】
この構成によれば、利用者が電子ペンにより電子ペン用媒体のユーザエリアを軽く叩いてタップすると、電子ペンは電子ペン用媒体へのタップによる記入情報を端末装置に送信する。そして、端末装置では、記入情報取得手段によってその記入情報が取得され、ユーザエリア認識手段が、記入情報取得手段により取得された記入情報に含まれる座標データに基づいて、情報記憶手段に記憶された実行情報を参照し、ユーザエリアを認識する。さらに、タップ回数カウント手段は、記入情報に基づいて、ユーザエリア認識手段が認識したユーザエリアにおいてタップされたタップ回数をカウントし、変化判定手段は、タップ回数カウント手段によるカウントが変化したか否かを判定する。タップ回数カウント手段は、ユーザエリア認識手段が認識したユーザエリアにおいてタップされたタップ回数をカウントするものであり、変化判定手段は、タップ回数が変化したか否かを判定する。タップ回数カウント手段によるカウントが変化した場合、処理データ抽出手段は、情報記憶手段に記憶された実行情報から、カウントされたタップ回数とユーザエリア認識手段が認識したユーザエリアとに対応する処理データを抽出する。そして、処理実行手段は、処理データ抽出手段が抽出した処理データに基づく処理を実行する。このように、端末装置は、利用者によって同一のユーザエリアがタップされたタップ回数をカウントし、各タップ回数に応じて処理データに基づく処理を実行することができる。また、処理データごとにユーザエリアを電子ペン用媒体に設定する必要もないため、電子ペン用媒体におけるユーザエリアを集約することができ、電子ペン用媒体の省スペース化を実現することができて、電子ペン用媒体のデザイン自由度を向上させることができる。
【００１５】
また、本発明に係るプログラムは、電子ペンにより認識可能なコード化パターンが印刷され、１つ以上のユーザエリアが設定された電子ペン用媒体に記入された情報を処理するコンピュータにより実行されるプログラムであって、前記プログラムは、前記ユーザエリアと、前記コード化パターン上における前記ユーザエリアの位置座標を示す座標データと、前記電子ペンによるタップ回数と、前記タップ回数毎に設定された異なる処理を実行する処理データとを対応付けた実行情報を記憶する情報記憶手段、前記電子ペンから、前記電子ペン用媒体への記入内容に対応する記入情報を取得する記入情報取得手段、前記記入情報に含まれる座標データに基づいて前記実行情報を参照することで前記ユーザエリアを認識するユーザエリア認識手段、前記記入情報に基づいて、前記ユーザエリア認識手段が認識したユーザエリアがタップされた回数であるタップ回数をカウントするタップ回数カウント手段、前記タップ回数カウント手段がカウントしたタップ回数が変化したか否かを判定する変化判定手段と、タップ回数が変化したと前記変化判定手段が判定した場合に、前記ユーザエリア認識手段が認識したユーザエリアと、前記タップ回数カウント手段がカウントしたタップ回数とに基づいて、前記実行情報から対応する処理データを抽出する処理データ抽出手段、前記処理データ抽出手段が抽出した処理データに基づいて所定の処理を実行する処理実行手段、として前記コンピュータを機能させることを特徴とする。
【００１６】
上記プログラムをコンピュータにより実行することにより、上述の端末装置を実現することができる。
【００１７】
また、本発明に係る情報処理システムによれば、利用者が電子ペンにより電子ペン用媒体のユーザエリアを軽く叩いてタップすると、電子ペンは電子ペン用媒体へのタップによる記入情報を端末装置に送信する。そして、端末装置では、記入情報取得手段によってその記入情報が取得され、ユーザエリア認識手段が、記入情報取得手段により取得された記入情報に含まれる座標データに基づいて、情報記憶手段に記憶された実行情報を参照し、ユーザエリアを認識する。さらに、タップ回数カウント手段は、記入情報に基づいて、ユーザエリア認識手段が認識したユーザエリアにおいてタップされたタップ回数をカウントし、変化判定手段は、タップ回数カウント手段によるカウントが変化したか否かを判定する。タップ回数カウント手段によるカウントが変化した場合、処理データ抽出手段は、情報記憶手段に記憶された実行情報から、カウントされたタップ回数とユーザエリア認識手段が認識したユーザエリアとに対応する処理データを抽出する。そして、処理実行手段は、処理データ抽出手段が抽出した処理データに基づく処理を実行する。このように、端末装置は、利用者によって同一のユーザエリアがタップされたタップ回数をカウントし、各タップ回数に応じて処理データに基づく処理を実行することができる。また、処理データごとにユーザエリアを電子ペン用媒体に設定する必要もないため、電子ペン用媒体におけるユーザエリアを集約することができ、電子ペン用媒体の省スペース化を実現することができて、電子ペン用媒体のデザイン自由度を向上させることができる。
【発明の効果】
【００１８】
本発明に係る端末装置、それに用いられるプログラム及び情報処理システムによれば、電子ペンの電子ペン用媒体に対するタップ回数をカウントし、当該タップ回数に応じて所定の処理を実行することができる。
【発明を実施するための最良の形態】
【００１９】
以下、図面を参照して本発明の好適な実施の形態について説明する。
【００２０】
＜第１実施形態＞
本実施形態の情報処理システムは、図１及び図２に示すように、電子ペン１０Ａ（１０）と、専用ペーパー（電子ペン用媒体）２０と、端末装置２５Ａ（２５）とから構成される。ここで、図１は電子ペン１０Ａの使用形態を模式的に示す図であり、図２は電子ペン１０Ａの構成を示すブロック図である。専用ペーパー２０には、ドットパターン（コード化パターン）が印刷されている。電子ペン１０Ａは、通常のインクペンと同様のペン先部１７を備えており、利用者が通常のインクペンと同様にペン先部１７によって専用ペーパー２０上に文字などを書くと、電子ペン１０Ａは、ペン先部１７の移動軌跡に沿って、専用ペーパー２０に印刷されたドットパターンを局所的、連続的に読み取り、専用ペーパー２０におけるその局所位置の座標を算出し、その座標データ等を端末装置２５Ａに送信する。電子ペン１０Ａは、端末装置２５Ａへ確実にデータを送信できるよう、端末装置２５Ａの近傍で使用される。端末装置２５Ａは、受信した座標データ等に基づいて、入力文字を記憶したり、タップに応じた処理を行ったりする等、所定の処理を実行する。以下、各構成について詳細に説明する。
【００２１】
[ 専用ペーパー ]
まず、専用ペーパー２０について説明する。専用ペーパー２０は、用紙上にドットパターンが印刷され、さらにその上に罫線や記入枠などの図案や項目、文言、イラスト等が印刷されたものである。ドットパターンは、赤外線を吸収するカーボンを含んだインキにより印刷される。また、図案等は、カーボンを含まない通常のインキにより印刷される。ドットパターンと図案等とは用紙に対して同時に印刷してもよいし、どちらかを先に印刷してもよい。
【００２２】
図５に、図案等が印刷された専用ペーパー２０の例を示す。図５に示す例は、英和辞典の頁の例であり、英単語「Ｗｏｒｋ」に対応するユーザエリア９０、英熟語「ａｔ  ｗｏｒｋ」に対応するユーザエリア９１、英単語「Ｗｏｒｌｄ」に対応するユーザエリア９２等が印刷されている。ドットパターンは、専用ペーパー２０のほぼ全面に印刷されており、その上に英単語や英熟語、代表的な意味、ユーザエリア９０〜９２の枠線等が、カーボンを含まない通常のインキにより印刷されている。利用者は、ドットパターンを意識することなく、所定の英単語や英熟語について、記載されている代表的な意味以外の意味や用例を知りたい場合に、電子ペン１０Ａを使用して対応するユーザエリアをタップ（電子ペン１０Ａのペン先部１７の専用ペーパー（電子ペン用媒体２０）への軽叩）する。
【００２３】
[ ドットパターン ]
続いて、ドットパターンについて説明する。図３は、専用ペーパー２０に印刷されたドットパターンのドットとそのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトされているかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、専用ペーパー２０上の位置座標が決定されるよう構成されている。
【００２４】
図４（ａ）は、あるドットパターンの配列を示している。図４（ａ）に示すように、縦横約２mmの範囲内に６×６個のドットが、専用ペーパー上のどの部分から６×６ドットを取ってもユニークなパターンとなるように配置されている。これら３６個のドットにより形成されるドットパターンは位置座標（例えば、そのドットパターンがその専用ペーパー上のどの位置にあるのか）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１０Ａによって行われる。
【００２５】
[ 電子ペン ]
次に電子ペン１０Ａについて説明する。図２に示すように、電子ペン１０Ａは、その内部にプロセッサ１１、データ通信ユニット１３、バッテリー１４、ＬＥＤ１５、カメラ１６、圧力センサ１８及びクロック２２を備える。また、電子ペン１０Ａは通常のインクペンと同様の構成要素としてインクカートリッジ（図示せず）などを有する。
【００２６】
ＬＥＤ１５は、電子ペン１０Ａのペン先付近に取り付けられており、専用ペーパー２０上のペン先部１７近傍（領域１５ａ）に向けて、赤外線を照明する（図１参照）。領域１５ａは、ペン先部１７が専用ペーパー２０に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクには、カーボンが含まれていないため、ドットパターンを認識することができる。なお、カメラ１６による撮影領域は、図４（ａ）に示すような約２mm×約２mmの大きさを含む範囲であり、カメラ１６の撮影は、毎秒５０〜１００回程度行われる。
【００２７】
バッテリー１４は電子ペン１０Ａ内の各部品に電力を供給するためのものであり、例えば電子ペン１０Ａのキャップ（図示せず）の脱着により電子ペン１０Ａ自体の電源のオン／オフを行うよう構成させてもよい。クロック２２は、現在時刻（タイムスタンプ）を発信し、プロセッサ１１に供給する。圧力センサ１８は、利用者が電子ペン１０Ａにより専用ペーパー２０上に文字などを書く際にペン先部１７に与えられる圧力、即ち筆圧を検出し、プロセッサ１１へ供給する。
【００２８】
プロセッサ１１は、圧力センサ１８から与えられる筆圧データに基づいて、ＬＥＤ１５及びカメラ１６のスイッチオン／オフの切換を行う。即ち、利用者が電子ペン１０Ａで専用ペーパー２０上に文字などを書くと、ペン先部１７には筆圧がかかり、圧力センサ１８によって所定値以上の筆圧が検出されたときに、プロセッサ１１は、利用者が記入を開始したと判定して、ＬＥＤ１５及びカメラ１６を作動させる。
【００２９】
プロセッサ１１は、利用者の記入が行われる間、カメラ１６によって供給される画像データのドットパターンから、利用者が記入するストロークの専用ペーパー２０上でのＸ，Ｙ座標（単に「座標データ」とも呼ぶ）を連続的に算出していく。すなわち、プロセッサ１１は、カメラ１６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ，Ｙ座標データを算出する。そしてプロセッサ１１は、現在時刻（タイムスタンプ）を発信するクロック２２から時間情報を取得し、その時間情報と、筆圧データ及びＸ，Ｙ座標データとを関連付け、これらの情報を記入情報として、データ通信ユニット１３に対して、端末装置２５Ａへ送信させる。ここで、一枚の専用ペーパー（電子ペン用媒体）２０内の６×６のドットパターンは、その専用ペーパー２０内で重複することはないため、利用者が電子ペン１０Ａでユーザエリアに必要事項を記入したりタップしたりすると、その記入やタップが専用ペーパー２０のどのユーザエリアに対応するものであるかを、座標データから特定することができる。
【００３０】
データ通信ユニット１３は、プロセッサ１１から時間情報、筆圧データ、Ｘ，Ｙ座標データを記入情報として受けると、端末装置２５Ａへ無線送信する。データ通信ユニット１３による送信は、Bluetooth（登録商標）の無線送信によると好適である。なお、ＵＳＢケーブルを使用した有線送信、端子などの接触によるデータ送信など、他の方法によって、データ通信ユニット１３から端末装置２５Ａへデータ送信を行ってもよい。データ通信ユニット１３による端末装置２５Ａへの記入情報の送信は、即時的且つ逐次的に行われる。
【００３１】
[ 端末装置 ]
次に、端末装置２５Ａについて図６を参照して説明する。端末装置２５Ａは、ハードウェアとして、電子ペン１０Ａとのデータ通信が可能なアンテナ装置、ＣＰＵ等のプロセッサ、ＲＯＭやＲＡＭといったメモリ、スピーカ、ディスプレイ等で構成される、ＰＣや携帯電話、或いは携帯端末である。図６は、端末装置２５Ａの機能ブロック図である。端末装置２５Ａは、電子ペン１０Ａから取得したＸ，Ｙ座標データ等の記入情報に基づいて、専用アプリケーションを実行することで所定の処理を行う。
【００３２】
図６に示すように、端末装置２５Ａは、情報記憶手段４０、記入情報取得手段４１、開始終了点特定手段４２、ユーザエリア認識手段４３、タップ回数カウント手段４４、変化判定手段４５、処理データ抽出手段（データ抽出手段）４６、処理実行手段４７、音声出力部４８及び表示部４９を備える。物理的には、情報記憶手段４０は、ＲＯＭやＲＡＭといったメモリによって構成され、記入情報取得手段４１は、データ通信ユニット、プロセッサ等によって構成され、音声出力部４８はスピーカ、表示部４９はディスプレイ等で構成される。また、開始終了点特定手段４２、ユーザエリア認識手段４３、タップ回数カウント手段４４、変化判定手段４５、処理データ抽出手段４６及び処理実行手段４７は、ＣＰＵ等のプロセッサに組み込まれている。
【００３３】
情報記憶手段４０は、ユーザエリアと、ドットパターン上におけるユーザエリアの位置座標を示す座標データと、利用者により行われるタップ回数と、タップ回数に応じた所定の処理を実行する処理データとを対応付けて、実行情報として記憶するメモリである。
【００３４】
すなわち、図７に示すように、情報記憶手段４０には、専用ペーパー（電子ペン用媒体）２０のユーザエリアを識別するエリアＩＤと、ユーザエリアに対応する英単語や英熟語と、ユーザエリアの位置座標領域を表す座標データとを対応付けた定義情報が記憶されている。エリアＩＤ「Ａ０１」に関連して英単語「Ｗｏｒｋ」が記憶され、エリアＩＤ「Ａ０２」に関連して英熟語「ａｔ  ｗｏｒｋ」が記憶され、エリアＩＤ「Ａ０４」に関連して英単語「Ｗｏｒｌｄ」が記憶されている。各ユーザエリアの座標データを構成するデータ(xn,yn)、Hn、Wnは、図８に示すように、それぞれ、ドットパターン上におけるユーザエリアの頂点Ｖ(xn,yn)の座標、Ｙ軸方向の高さ(Height)、Ｘ軸方向の幅(Width)を意味する。
【００３５】
さらに情報記憶手段４０には、図９に示すように、ユーザエリアを識別するエリアＩＤと、利用者が行うタップ回数と、音声データとを対応付けた出力情報が記憶されている。例えば、エリアＩＤ「Ａ０１」のタップ回数「１」に対しては、英単語「Ｗｏｒｋ」の他の意味を示す音声データＡ（作業）が関連付けられ、同じエリアＩＤ「Ａ０１」のタップ回数「１０」に対しては、英単語「Ｗｏｒｋ」の用例を示す音声データＪ（用例４ a fine piece of 〜 すぐれた業績）が関連付けされて記憶されている。これらの音声データＡや音声データＪは、音声出力部４８によって音声出力可能な音声データである。
【００３６】
ここで、情報記憶手段４０に記憶されているこれら定義情報及び出力情報を実行情報と称することとする。さらに、情報記憶手段４０は、記入情報取得手段４１によって取得された記入情報を記憶するとともに、タップ回数カウント手段４４によりユーザエリアに対応付けてカウントされたタップ回数及びタップ時刻を一時記憶する。
【００３７】
記入情報取得手段４１は、電子ペン１０Ａのデータ通信ユニット１３によって送信される専用ペーパー（電子ペン用媒体）２０への記入内容に対応する記入情報を即時的且つ逐次的に取得する手段であり、Bluetooth（登録商標）による通信方式の電波を受信するアンテナ等により構成される。記入情報には、タップ、文字、記号、絵柄等を記入する際に取得する情報が含まれる。特に、タップにより取得される記入情報をタップ情報と呼ぶ。また、タップ情報に含まれる時間情報をタップ時刻と呼ぶ。
【００３８】
開始終了点特定手段４２は、記入情報取得手段４１が取得した記入情報に含まれるストロークのデータ開始点及びデータ終了点を特定する。具体的には、開始終了点特定手段４２は、データ開始点及びデータ終了点それぞれの位置座標を示す座標データと記入時刻とを特定する。
【００３９】
ユーザエリア認識手段４３は、記入情報に含まれる座標データに基づいて、情報記憶手段４０が記憶した定義情報（図７参照）を参照することにより、対応するユーザエリアを認識する。このとき、ユーザエリア認識手段４３は、１つのストロークのデータ開始点及びデータ終了点の双方が含まれるユーザエリアのみを認識するようにするとよい。そのような設定にすれば、利用者が専用ペーパー２０に記入したストロークのデータ開始点及びデータ終了点のいずれかがユーザエリアの範囲外にある場合には、利用者が特定のユーザエリアに関する音声データを端末装置２５Ａから出力させようと意図したものではないと判定することができる。
【００４０】
タップ回数カウント手段４４は、開始終了点特定手段４２によって特定されたデータ開始点及びデータ終了点における時間及び／又は両点間の移動距離に基づいて、利用者により専用ペーパー２０に記入されたストロークがタップであるか否かを判定し、ユーザエリア認識手段４３が認識したユーザエリアにおいてタップされた回数（タップ回数）をカウントする。当該ユーザエリア、カウントしたタップ回数及びタップ時刻は、対応付けて情報記憶手段４０に一時記憶される。このとき、タップ回数カウント手段４４は、ユーザエリア認識手段４３が認識したユーザエリアに対応付けて情報記憶手段４０に記憶されているタップ回数があるか否か確認して、なければタップ回数の初期値を「０」とし、ユーザエリア認識手段４３が認識したユーザエリアへのタップ回数分だけ「１」を加算してカウントアップする。
【００４１】
既に、情報記憶手段４０上においてユーザエリア認識手段４３が認識したユーザエリアに対応付けてタップ回数が記憶されている場合、タップ回数カウント手段４４は、新たにタップされた時刻（今回タップ時刻）が、ユーザエリア認識手段４３が認識したユーザエリアに対する最後にタップされた時刻（前回タップ時刻）として情報記憶手段４０に記憶されているタップ時刻から、予め設定された所定読取時間（例えば３分）以上経過しているか否かを時刻の差分を算出して判定する。判定の結果、所定読取時間以上経過している場合、タップ回数カウント手段４４は、ユーザエリア認識手段４３が認識したユーザエリアに対応付けて情報記憶手段４０上に記憶されたタップ回数を初期値「０」とし、カウントをリセットした上で、当該ユーザエリアへのタップ回数分だけ「１」を加算することでカウントアップする。その一方、前回タップ時刻と今回タップ時刻との差分が所定読取時間を超過していない場合には、タップ回数カウント手段４４は、情報記憶手段４０に記憶されているタップ回数に、当該ユーザエリアへのタップ回数分だけ「１」を加算してカウントアップする。
【００４２】
そして、認識したユーザエリアに対応付けてカウントしたタップ回数及びタップ時刻を情報記憶手段４０に一時記憶する。即ち、情報記憶手段４０に記憶されたタップ回数は、対応するユーザエリアへのタップが認識される度に更新される。これによれば、利用者の記入したストロークが、タップであるか否か判定され、文字や図柄とは区別されるとともに、タップ回数は、所定読取時間を基準としてカウントがリセットされるため、所定読取時間よりも間隔のあいたタップ同士は、タップ回数としては別々にカウントされ、タップ回数を的確にカウントすることができる。これにより、利用者が後刻もう１度特定のユーザエリアに関する音声データを端末装置２５Ａから出力させようと意図した際に、最初に出力したときと同じ順番で音声データを出力させることができる。
【００４３】
具体的には、利用者により専用ペーパー（電子ペン用媒体）２０に記入されたストロークがタップであるか否かを判定するにあたっては、第１の方法として、タップ回数カウント手段４４は、データ終了点の記入時刻とデータ開始点の記入時刻の差分を算出し、当該差分が予め設定された所定時間（例えば、０．２秒）未満である場合にストロークがタップであると判定する。別の第２の方法として、タップ回数カウント手段４４は、座標データに基づいてデータ開始点とデータ終了点との間の移動距離（筆記された線の長さ）を算出し、当該移動距離が予め設定された所定距離未満である場合にストロークがタップであると判定するようにしてもよい。あるいは第３の方法として、データ開始点とデータ終了点における時間及び移動距離の両方に条件を付けて、ストロークがタップであるか否かを判定するようにしてもよい。
【００４４】
変化判定手段４５は、タップ回数カウント手段４４がカウントしたタップ回数が変化したか否かを判定する。つまり、情報記憶手段４０に記憶されたタップ回数が変化したか否かを判定する。換言すると、変化判定手段４５は、タップ回数カウント手段４４が新たなタップを認識して、カウントしたか否かを判定する。
【００４５】
処理データ抽出手段４６は、変化判定手段４５によりタップ回数が変化したと判定された場合に、ユーザエリア認識手段４３が認識したユーザエリアと、当該ユーザエリアに対応する変化後のタップ回数とに基づいて、情報記憶手段４０が記憶した出力情報（図９参照）から対応する音声データ（処理データ）を抽出する。つまり、処理データ抽出手段４６は、タップ回数カウント手段４４により所定のユーザエリアへのタップ回数がカウントアップされる度に、当該ユーザエリア及びタップ回数に基づいて出力情報から音声データを抽出する。
【００４６】
処理実行手段４７は、処理データ抽出手段４６によって抽出された音声データを用いて所定の処理を実行する。すなわち、処理実行手段４７は、処理データ抽出手段４６によって抽出された音声データを音声出力部（スピーカ）４８に再生出力させる。つまり、処理実行手段４７は、タップ回数カウント手段４４により所定のユーザエリアへのタップ回数がカウントアップされる度に、処理データ抽出手段４６が抽出した音声データを音声出力部４８に再生出力させる。
【００４７】
端末装置２５Ａは、専用アプリケーションがインストールされることにより、上述の各手段が構成される。
【００４８】
[ 専用アプリケーション ]
次に、専用アプリケーション５０について図１０を参照して説明する。図１０は、専用アプリケーション５０のモジュール構成を示す。専用アプリケーション５０は、電子ペン１０Ａが専用ペーパー２０に記入した内容に対応するデジタルデータである記入情報に基づいて所定の処理を実行するものであって、ダウンロード等により予め端末装置２５Ａにインストールされている。専用アプリケーションは、原則として専用ペーパー２０に対応付けられている。つまり、専用ペーパー２０の種類が異なれば、その種類に応じて各専用ペーパー２０に記入されたデータを処理する専用アプリケーションは異なる。しかし、専用ペーパー２０と専用アプリケーションの対応は必ずしも１対１である必要はなく、複数種類の専用ペーパー２０に１つの専用アプリケーションを対応付けてデータを処理させてもよい。また、１種類の専用ペーパー２０に複数の専用アプリケーションを対応付けてデータを処理させてもよい。
【００４９】
図１０に示すように、専用アプリケーション５０は、記入情報取得モジュール１０１、情報登録モジュール１０２、開始終了点特定モジュール１０３、ユーザエリア認識モジュール１０４、タップ回数カウントモジュール１０５、変化判定モジュール１０６、処理データ抽出モジュール１０７及び音声出力モジュール１０８を有する。
【００５０】
記入情報取得モジュール１０１は、記入情報取得手段４１を用いて、専用ペーパー（電子ペン用媒体）２０への電子ペン１０Ａによる記入に対応する記入情報（タップ情報を含む）を取得する機能を有するモジュールである。
【００５１】
情報登録モジュール１０２は、情報記憶手段４０に対して、図７及び図９に示すように、ユーザエリアのエリアＩＤ、ユーザエリアの座標データ、タップ回数、及び音声データを関連付けて記憶させるモジュールである。また、情報登録モジュール１０２は、情報記憶手段４０に対して、記入情報取得モジュール１０１が取得した記入情報を記憶させる。
【００５２】
開始終了点特定モジュール１０３は、記入情報取得モジュール１０１の実行によって取得された記入情報に含まれるストロークのデータ開始点及びデータ終了点につき、それぞれの座標データ及び記入時刻を特定する機能を有する。
【００５３】
ユーザエリア認識モジュール１０４は、記入情報に含まれる座標データと、情報登録モジュール１０２によって登録される各ユーザエリアの座標データとを参照して、記入情報に対応するユーザエリアを認識する機能を有する。なお、ユーザエリア認識モジュール１０４は、１つのストロークデータのデータ開始点及びデータ終了点の双方が含まれるユーザエリアのみを認識するようにするとよい。
【００５４】
タップ回数カウントモジュール１０５は、ユーザエリア認識モジュール１０４によって認識された記入情報がタップ情報であるか否か及び所定読取時間内のタップであるか否かを判定し、ユーザエリアへのタップ回数をカウントする機能を有する。タップ回数カウントモジュール１０５は、ユーザエリア認識モジュール１０４によって認識されたユーザエリアと、当該ユーザエリアへのタップ回数とを対応付けて一時的に情報記憶手段４０に記憶する。記入情報がタップ情報であるか否かの判定方法としては、上述のように、データ開始点の記入時刻からデータ終了点の記入時刻までの時間が予め設定された所定時間未満である場合にストロークがタップであると判定する方法（第１の方法）と、データ開始点とデータ終了点との間の移動距離が予め設定された所定距離未満である場合にストロークがタップであると判定する方法（第２の方法）とのいずれを採用してもよく、また、データ開始点とデータ終了点の時間及び両点間の移動距離の両方に条件を設定してもよい（第３の方法）。
【００５５】
変化判定モジュール１０６は、タップ回数カウントモジュール１０５によってカウントされたタップ回数が変化したか否かを判定する機能である。具体的に、変化判定モジュール１０６は、情報記憶手段４０を参照することで、ユーザエリア認識モジュール１０４によって認識されたユーザエリアに対応するタップ回数が変化したか否かを判定する。
【００５６】
処理データ抽出モジュール１０７は、変化判定モジュール１０６によりタップ回数が変化したと判定された場合に、情報登録モジュール１０２により情報記憶手段４０に登録されるユーザエリア、タップ回数、及び音声データを参照し、ユーザエリア認識モジュール１０４によって認識されたユーザエリアとタップ回数カウントモジュール１０５によってカウントされたタップ回数とに関連付けられた音声データを抽出する機能を有する。
【００５７】
音声出力モジュール１０８は、処理データ抽出モジュール１０７によって抽出された音声データを、音声出力部（スピーカ）４８に対して、音声として出力させる機能を有する。
【００５８】
[ 本情報処理システムによる音声出力処理フロー ]
次に、本第１実施形態の情報処理システムにより行われる処理フローについて図１１及び図１２を参照して説明する。図１１は、本第１実施形態における専用ペーパー２０上の電子ペン１０Ａの使用形態を示す図である。図１２は、端末装置２５Ａにおける音声出力処理のフローチャートである。
【００５９】
利用者は、電子ペン１０Ａのペン先部１７により、専用ペーパー（電子ペン用媒体）２０のユーザエリアのうち、代表的な意味以外の意味や用例を聞きたい英単語や英熟語に対応するユーザエリア、例えば英単語「Ｗｏｒｋ」に対応するユーザエリア９０をタップする（図１１参照。★マークはタップを表す）。すると、電子ペン１０Ａは、ユーザエリアへのタップに対応する座標データ、時間情報、及び筆圧データを記入情報（タップ情報）として端末装置２５Ａへ送信する。すると、端末装置２５Ａの記入情報取得手段４１は、電子ペン１０Ａから即時的且つ逐次的に記入情報（タップ情報）を取得する（ステップＳ１）。ここで、即時的とは、電子ペン１０ＡがＸ，Ｙ座標データ等の記入情報を取得すると、その記入情報は即座に端末装置２５Ａへ送信され、端末装置２５Ａによって取得されることを意味し、また、逐次的とは、電子ペン１０ＡがＸ，Ｙ座標データ等の記入情報を連続的に取得している間、その記入情報は、次々に端末装置２５Ａへ送信され、端末装置２５Ａによって取得されることを意味している。
【００６０】
続いて、開始終了点特定手段４２は、記入情報取得手段４１によって取得された記入情報（タップ情報）に含まれるストロークのデータ開始点及びデータ終了点を特定し、そのデータ開始点及びデータ終了点における座標データ及び記入時刻を特定する（ステップＳ２）。次に、ユーザエリア認識手段４３は、記入情報（タップ情報）に含まれる座標データに基づいて、情報記憶手段４０が記憶した定義情報を参照することで、対応するユーザエリア（エリアＩＤ「Ａ０１」）を認識する（ステップＳ３）。
【００６１】
続いて、タップ回数カウント手段４４は、データ開始点及びデータ終了点の記入時刻の差分に基づいて記入情報がタップ情報であることを判定すると共に、ユーザエリア認識手段４３が認識したユーザエリアへのタップ回数をカウントする（ステップＳ４）。具体的に、タップ回数カウント手段４４は、ユーザエリア認識手段４３が認識したユーザエリア（エリアＩＤ「Ａ０１」）と、カウントしたタップ回数及びタップ時刻とを対応付けて情報記憶手段４０に一時記憶させる。このとき、タップ回数カウント手段４４は、ユーザエリアに対応付けて情報記憶手段４０に記憶されているタップ回数があるか否か確認して、なければタップ回数の初期値を「０」とし、ユーザエリア認識手段４３が認識したユーザエリアへのタップ回数分だけ「１」を加算してカウントアップする。
【００６２】
既に、情報記憶手段４０上においてユーザエリア認識手段４３が認識したユーザエリアに対応付けてタップ回数が記憶されている場合、タップ回数カウント手段４４は、情報記憶手段４０に記憶されているタップ時刻（前回タップ時刻）と今回のタップ時刻（今回タップ時刻）との差分を算出し、差分が所定読取時間を超過しているか否かを判定する。判定の結果、所定読取時間（例えば３分）を超過している場合、タップ回数カウント手段４４は、ユーザエリア認識手段４３が認識したユーザエリアに対応付けて情報記憶手段４０上に記憶されたタップ回数を初期値「０」とし、カウントをリセットした上で、当該ユーザエリアへのタップ回数分だけ「１」を加算することでカウントアップする。その一方、前回タップ時刻と今回タップ時刻との差分が所定読取時間を超過していない場合には、タップ回数カウント手段４４は、情報記憶手段４０に記憶されているタップ回数に、当該ユーザエリアへのタップ回数分だけ「１」を加算してカウントアップする。そして、エリアＩＤ「Ａ０１」に対応付けてカウントしたタップ回数及び今回のタップ時刻を情報記憶手段４０に一時記憶させる。
【００６３】
なお、タップ回数カウント手段４４は、データ開始点及びデータ終了点の座標データから算出される両点間の移動距離（筆記された線の長さ）に基づいて、電子ペン用媒体に記入されたストロークがタップであるか否かを判定してもよい。
【００６４】
続いて、変化判定手段４５は、情報記憶手段４０に記憶されたタップ回数がカウントアップ等により変化したか否かを判定する。そして、変化判定手段４５によりタップ回数が変化したと判定される度に、処理データ抽出手段４６は、ユーザエリア認識手段４３によって認識されたユーザエリアと、当該ユーザエリアに対応付けて情報記憶手段４０に記憶されたタップ回数とに基づいて、情報記憶手段４０が記憶する出力情報を参照し、対応する音声データを抽出する（ステップＳ５）。そして、処理実行手段４７は、処理データ抽出手段４６によって抽出された音声データを音声出力部（スピーカ）４８に音声出力させる（ステップＳ６）。
【００６５】
例えば、変化判定手段４５によって、エリアＩＤ「Ａ０１」のユーザエリアに対応付けられたタップ回数が「１」に変化したと判定されると、処理データ抽出手段４６は、図９に示すように、ユーザエリアのエリアＩＤ「Ａ０１」のタップ回数１回に対応する音声データＡを抽出し、処理実行手段４７は、英単語「Ｗｏｒｋ」の他の意味を示す音声データＡ「作業」を音声出力部（スピーカ）４８に音声出力させる。さらに、利用者が同じ英単語「Ｗｏｒｋ」に対応するユーザエリア９０をもう１回タップすると、タップ回数カウント手段４４によってカウントアップされて情報記憶手段４０に一時記憶されるタップ回数が「２」となる。変化判定手段４５はこのカウントアップによるタップ回数の変化を判定し、処理データ抽出手段４６は、図９に示すように、ユーザエリアのエリアＩＤ「Ａ０１」のタップ回数２回に対応する音声データＢを抽出し、処理実行手段４７は、英単語「Ｗｏｒｋ」のさらに他の意味を示す音声データＢ「任務」を音声出力部（スピーカ）４８に音声出力させる。このように、利用者が同じユーザエリアを複数回タップすると、タップ回数カウント手段４４によってタップ回数がカウントアップされ、タップ回数が変化する度に、変化判定手段４５によって変化が判定され、処理データ抽出手段４６は当該ユーザエリア及びタップ回数に対応する音声データを抽出し、音声出力部４８に音声出力させる。
【００６６】
また、利用者が英熟語「ａｔ  ｗｏｒｋ」に対応するユーザエリア９１を電子ペン１０Ａでタップする場合も同様に、電子ペン１０Ａは記入情報（タップ情報）を端末装置２５Ａへ送信する。１回めにタップすると、端末装置２５Ａのタップ回数カウント手段４４によって、エリアＩＤ「Ａ０２」のユーザエリアに対応付けてカウントされたタップ回数「１」が情報記憶手段４０に一時記憶され、処理データ抽出手段４６は、エリアＩＤ「Ａ０２」のタップ回数１回に対応する音声データ（図示せず）を抽出し、処理実行手段４７は、英熟語「ａｔ  ｗｏｒｋ」の他の意味を示す音声データ「機械などが作動中で」を音声出力部４８に音声出力させる。利用者が同じユーザエリア９１をもう１回タップすると、タップ回数カウント手段４４によってカウントアップされて情報記憶手段４０に一時記憶されるタップ回数が「２」に更新される。変化判定手段４５はこの変化を判定し、処理データ抽出手段４６は、ユーザエリアのエリアＩＤ「Ａ０２」のタップ回数２回に対応する音声データ（図示せず）抽出し、処理実行手段４７は、英熟語「ａｔ  ｗｏｒｋ」のさらに他の意味を示す音声データ「一時的に取りかかっている」を音声出力部４８に音声出力させる。
【００６７】
ここで、利用者がふたたび英単語「Ｗｏｒｋ」に対応するユーザエリア９０をタップすると、情報記憶手段４０にはエリアＩＤ「Ａ０１」のユーザエリアに対応付けられてタップ回数「２」が記憶されているため、タップ回数カウント手段４４は、情報記憶手段４０に記憶されている前回タップ時刻と今回タップ時刻との差分を算出し、所定読取時間を超過しているか否かを判定し、超過していなければタップ回数を「３」にカウントアップし、エリアＩＤ「Ａ０１」のユーザエリアに対応付けて情報記憶手段４０に記憶されているタップ回数を「３」に更新する。処理データ抽出手段４６は、図９に示すように、エリアＩＤ「Ａ０１」のタップ回数３回に対応する音声データＣを抽出し、処理実行手段４７は英単語「Ｗｏｒｋ」のさらに他の意味を示す音声データＣ「勉強」を音声出力部４８に音声出力させる。タップ回数カウント手段４４は、判定の結果が所定読取時間を超過している場合、エリアＩＤ「Ａ０１」のユーザエリアに対応付けて情報記憶手段４０に記憶されているタップ回数「２」を初期値「０」にリセットした上で、今回のタップ回数分の「１」を加算してカウントアップし、当該ユーザエリアに対応付けて情報記憶手段４０に記憶されたタップ回数を「１」に更新する。すると、英単語「Ｗｏｒｋ」のタップ回数１回に対応する音声データＡ「作業」が音声出力部４８より出力される。
【００６８】
このように、利用者は、音声出力部（スピーカ）４８によって再生出力されるそれぞれ異なる音声により、所定の英単語や英熟語に関する他の意味や用例を聞くことができる。
【００６９】
[ 本情報処理システムによる作用効果 ]
この情報処理システムによれば、電子ペン１０Ａで各ユーザエリアをタップした回数をカウントし、タップ回数が変化する度に端末装置２５Ａによりタップ回数に応じた音声が出力されるため、タップを繰り返すことで、各種異なる文章を音声出力させることができる。そのため、例えば、１つの英単語に対応する複数の意味や用例を音声出力させる場合であっても、１つのユーザエリアを設定するだけでよい。つまり、端末装置２５Ａは、利用者によって同一のユーザエリアをタップされたタップ回数をカウントし、タップ回数が変化する度に当該タップ回数に応じて音声データに基づく音声を出力することができ、音声データごとにユーザエリアを電子ペン用媒体に設定する必要がない。よって、図５に示すように集約した分の専用ペーパーの面積を詰めることで、図１３に示すような従来の英和辞典の頁と比べて、電子ペン用媒体の省スペース化を実現することができる。これにより、デザインの自由度が増し、専用ペーパー２０に印刷する文字を大きくすることが可能となり、専用ペーパー２０をより見やすくすることができる。
【００７０】
なお、上記第１実施形態は次のように構成させて変更することもできる。
【００７１】
例えば、情報記憶手段４０は、定義情報（図７参照）と出力情報（図９参照）とを分けて記憶しているが、ユーザエリアのエリアＩＤに対して、ユーザエリアに対応する英単語や英熟語、ユーザエリアの座標データ、タップ回数、音声データをまとめて関連付けて記憶させるようにしてもよく、これらの情報のデータ構造は任意に設定することができる。
【００７２】
また、上記第１実施形態では、電子ペン１０Ａのクロック２２は現在時刻を発信することとしているが（図２参照）、クロック２２は、端末装置２５Ａとの通信接続が確立した時点から通信接続状態が終了するまでの間、０から始まりストロークの記入中に経過していく記入時間を発信することとしてもよい。この場合、プロセッサ１１は、ストロークの記入中に、クロック２２が発信する経過時間（記入時間）を時間情報として取得し、その時間情報と、筆圧データと、Ｘ，Ｙ座標データとを関連付け、データ通信ユニット１３に対して記入情報として端末装置２５Ａへ送信させる。
【００７３】
また、上記実施形態では、タップ回数カウント手段４４は、情報記憶手段４０に記憶されているタップ時刻（前回タップ時刻）と今回タップ時刻との差分が所定読取時間を超過していると判定した場合に、情報記憶手段４０記憶されたタップ回数を初期値「０」にリセットした上でカウントアップすることとしているが、情報記憶手段４０に一時記憶するのは前回タップ時刻ではなく、当該ユーザエリアに対する初回のタップ時刻（初回タップ時刻）として、初回タップ時刻と今回タップ時刻との差分が所定読取時間を超過しているか否かを判定するように構成してもよい。この場合、情報記憶手段４０に記憶されている初回タップ時刻から所定読取時間を経過するまでは、タップされる都度、情報記憶手段４０に記憶されているタップ回数をカウントアップすることとなり、初回タップ時刻と今回タップ時刻の差分が所定読取時間を超過した時に、情報記憶手段４０に記憶されているタップ回数を「０」にリセットして新たにカウントアップすると共に今回のタップ時刻を新たな初回タップ時刻として情報記憶手段４０に記憶されているタップ回数及びタップ時刻を更新することとなる。
【００７４】
または、タップ回数カウント手段４４は、読取時間の判定を行わず、電子ペン１０Ａの電源がオンになってからオフになるまでの間、カウントアップを続けることとしてもよい。この場合タップ回数カウント手段４４は、ユーザエリアに対応付けてカウントしたタップ回数を情報記憶手段４０に一時記憶させることとし、タップ時刻を一時記憶させる必要はない。ユーザエリアに対応付けて情報記憶手段４０に一時記憶されたタップ回数は、電子ペン１０Ａの電源がオフになるとクリアされるため、電源がオンになり利用者が新たに電子ペン１０Ａを使用すると、タップ回数カウント手段４４は、ユーザエリア認識手段４３が認識したユーザエリアに対応付けて情報記憶手段４０に記憶されているタップ回数があるか否か確認して、前回使用時のデータはクリアされているため、タップ回数の初期値「０」からカウントアップすることとなる。
【００７５】
また、第１実施形態では、情報記憶手段４０に予め記憶されている音声データを音声出力部（スピーカ）４８に再生出力させたが、処理データ抽出手段４６によって再生出力すべきコンテンツを抽出し、処理実行手段４７によりそのコンテンツを音声合成して、音声出力部４８に再生出力させるようにしてもよい。
【００７６】
また、上記第１実施形態における音声データは、各ユーザエリアに対応して設定された英単語や英熟語について、タップ回数によって異なる意味又は用例を発音する音声データとしたが、本発明はこれに限定されるものではなく、和英辞典、国語辞典、百科事典等の各種辞書ほかスポーツ年鑑、タレント年鑑等の各種年鑑でもよく、各ユーザエリアに対応して設定された単語や熟語、文章、画像等について、タップ回数によって異なる情報を発音する音声データであればよい。また、図５に示すようなデザインでなくともよく、英単語や英熟語の記載やユーザエリアのデザイン、配置等も適宜変更してよい。
【００７７】
＜第２実施形態＞
次に、第２実施形態について説明する。第２実施形態と第１実施形態とが同様の部分については同じ符号を付し、適宜説明を省略する。第２実施形態と第１実施形態とが異なる点は、第１実施形態の電子ペン１０Ａは、図２に示すようにクロック２２を備えていたが、第２実施形態の電子ペン１０Ｂ（１０）は、図１４に示すようにクロック２２を備えていない。この場合、プロセッサ１１は、利用者によって電子ペン１０Ｂを用いて記入が行われる間に、筆圧データ及びＸ，Ｙ座標データを取得し、それらのデータを記入情報としてデータ通信ユニット１３により端末装置２５Ｂ（２５）へ送信する。その代わり、端末装置２５Ｂは、現在時刻を発信するクロックを備えており、電子ペン１０Ｂから記入情報を取得した取得時刻を関連付けて記憶しておく。つまり、端末装置２５Ｂは、記入情報と、記入情報の取得時刻とを関連付けて記憶しておく。
【００７８】
続いて、第２実施形態における処理フローについて説明する。図１５は、端末装置２５Ｂにおける音声出力処理のフローチャートである。
【００７９】
利用者は、電子ペン１０Ｂのペン先部１７により、専用ペーパー（電子ペン用媒体）２０を構成するユーザエリアのうち、他の意味や用例を聞きたい英単語や英熟語に対応するユーザエリアをタップする。すると、電子ペン１０Ｂは、ユーザエリアへのタップに対応する座標データ及び筆圧データを記入情報（タップ情報）として端末装置２５Ｂへ送信する。端末装置２５Ｂの記入情報取得手段４１は、電子ペン１０Ｂによって送信された記入情報（タップ情報）を即時的且つ逐次的に取得し、記入情報と、記入情報が取得された時に端末装置２５Ｂのクロックにより発信された現在時刻の情報とを関連付ける（ステップＳ１１）。記入時刻に関連付けられた時間情報を、取得時刻と呼ぶ。続いて、開始終了点特定手段４２は、記入情報に含まれるストロークのデータ開始点及びデータ終了点を特定し、そのデータ開始点及びデータ終了点における座標データ及び取得時刻（タップ時刻）を特定する（ステップＳ１２）。
【００８０】
そして、ユーザエリア認識手段４３は、記入情報（タップ情報）に含まれる座標データに基づいて、情報記憶手段４０が記憶した定義情報を参照することで、対応するユーザエリアを認識する（ステップＳ１３）。タップ回数カウント手段４４は、データ開始点及びデータ終了点の取得時刻の差分に基づいて記入情報がタップ情報であると判定すると共に、ユーザエリア認識手段４３が認識したユーザエリアへのタップ回数をカウントする（ステップＳ１４）。具体的に、タップ回数カウント手段４４は、ユーザエリア認識手段４３が認識したユーザエリアと、カウントしたタップ回数及びタップ時刻とを対応付けて情報記憶手段４０に一時記憶する。このとき、タップ回数カウント手段４４は、タップ回数の初期値を「０」とし、ユーザエリア認識手段４３が認識したユーザエリアへのタップ回数分だけ「１」を加算してカウントアップする。
【００８１】
既に、情報記憶手段４０上においてユーザエリア認識手段４３が認識したユーザエリアに対応付けてタップ回数が記憶されている場合、タップ回数カウント手段４４は、情報記憶手段４０に記憶されているタップ時刻（前回タップ時刻）と今回のタップ時刻（今回タップ時刻）との差分を算出し、差分が所定読取時間を超過しているか否かを判定する。判定の結果、所定読取時間（例えば３分）を超過している場合、タップ回数カウント手段４４は、ユーザエリア認識手段４３が認識したユーザエリアに対応付けて情報記憶手段４０上に記憶されたタップ回数を初期値「０」とし、カウントをリセットした上で、当該ユーザエリアへのタップ回数分だけ「１」を加算することでカウントアップする。その一方、前回タップ時刻と今回タップ時刻との差分が所定読取時間を超過していない場合には、タップ回数カウント手段４４は、情報記憶手段４０に記憶されているタップ回数に、当該ユーザエリアへのタップ回数分だけ「１」を加算してカウントアップする。そして、当該ユーザエリアに対応付けてカウントしたタップ回数及び今回のタップ時刻を情報記憶手段４０に一時記憶する。
【００８２】
なお、タップ回数カウント手段４４は、データ開始点及びデータ終了点の座標データから算出される両点間の移動距離（筆記された線の長さ）に基づいて、専用ペーパー（電子ペン用媒体）２０に記入されたストロークがタップであるか否かを判定してもよい。
【００８３】
続いて、変化判定手段４５は、情報記憶手段４０に記憶されたタップ回数がカウントアップ等により変化したか否かを判定する。そして、変化判定手段４５によりタップ回数が変化したと判定される度に、処理データ抽出手段４６は、ユーザエリア認識手段４３によって認識されたユーザエリアと、当該ユーザエリアに対応付けて情報記憶手段４０に記憶されたタップ回数とに基づいて、情報記憶手段４０が記憶する出力情報を参照し、対応する音声データを抽出する（ステップＳ１５）。そして、処理実行手段４７は、処理データ抽出手段４６によって抽出された音声データを音声出力部（スピーカ）４８に音声出力させる（ステップＳ１６）。
【００８４】
このように、第２実施形態によれば、電子ペン１０Ｂがクロックを備えていなくても、端末装置２５Ｂが備えるクロックを利用して、記入情報（タップ情報）と、当該記入情報を電子ペン１０Ｂから取得した取得時刻とを関連付けて記憶しておくことで、タップ情報を認識し、音声出力処理を実行することができる。
【００８５】
なお、上記第２実施形態において、端末装置２５Ｂのクロックを、電子ペン１０Ｂとの通信接続が確立した時点から通信接続状態が終了するまでの間、０から始まりストロークの記入中に経過していく記入時間（経過時間）を発信するようにしてもよい。また、端末装置２５Ｂの情報記憶手段４０に記憶する情報のデータ構造や、タップ回数カウント手段４４による読取時間の判定方法や、音声出力部４８により出力する音声データ等を、第１実施形態の変更例と同様に適宜変更してもよい。
【００８６】
上述したように、上記第１及び第２実施形態によれば、同一の専用ペーパー（電子ペン用媒体）２０又は同一のユーザエリアをタップした回数によって、異なる音声情報を利用者にフィードバックすることが可能となる。つまり、タップ回数が変化する度に当該タップ回数に応じて出力する音声データを抽出して音声出力をすることで、専用ペーパー（電子ペン用媒体）２０上におけるユーザエリアを集約することができる。
【００８７】
なお、本発明は、上記第１及び第２実施形態に限られない。
【００８８】
上記実施形態では、音声を利用者にフィードバックするよう構成したが、所定の処理を実行する例として、タップ回数に応じて異なるテキストや画像を表示あるいは動画を再生するようにしてもよいし、プログラム又はソフトウェアを実行するようにしてもよい。例えば、ショッピングカタログとして、１つの商品欄（ユーザエリア）に対して、電子ペン１０で最初にタップした場合、即ちタップ回数「１」では、色やサイズのバリエーションを表示部（ディスプレイ）４９（図６参照）に表示し、続いてもう１回タップした場合、即ちタップ回数「２」では、使用例の動画を再生するといった実施形態が可能である。また、問題集として、１つの出題解答欄（ユーザエリア）に対して、電子ペン１０で最初にタップした場合、即ちタップ回数「１」では、問題を音声出力部（スピーカ）４８に出力又は表示部（ディスプレイ）４９に表示し、続いてもう１回タップした場合、即ちタップ回数「２」では、答え合わせ（解答欄への記入情報を文字認識して解答と照合し、○、×等の判定結果をスピーカ出力又はディスプレイ表示）を行い、続いてさらにもう１回タップした場合、即ちタップ回数「３」では、解説をスピーカ出力又はディスプレイ表示する、といった実施形態も可能である。さらに、電子ペン１０あるいは端末装置２５のアプリケーション選択メニュー（シート）として、アプリ選択欄（ユーザエリア）に対して、電子ペン１０で最初にタップした場合、即ちタップ回数「１」では、翻訳プログラムを起動し、続いてもう１回タップした場合、即ちタップ回数「２」では、演奏プログラムを起動し、さらに続いてもう１回タップした場合、即ちタップ回数「３」では、電子メール送信プログラムを起動する、といった実施形態も可能である。
【００８９】
また、電子ペン１０内に、ペン自体又はその所有者に関するプロパティ情報（ペン情報又はペン所有者情報）を保持しておき、端末装置２５から参照することができるようにしてもよいし、プロパティ情報の全部又は一部を記入情報と共に端末装置２５に送信するようにしてもよい。ペン情報としては、バッテリーレベル、ペンＩＤ、ペン製造者番号、ペンソフトウェアのバージョン、サブスクリプションプロバイダのＩＤなどが挙げられる。また、ペン所有者情報としては、国籍、言語、タイムゾーン、emailアドレス、名称、住所、ファックス／電話番号、携帯電話番号などが挙げられる。
【００９０】
また、上記実施形態では、ドットは赤外線を吸収するカーボンを含むインクとし、電子ペン１０のＬＥＤ１５を、赤外線を照射するＬＥＤとし、カメラ１６によって赤外線の反射量の差によって、電子ペン１０でドットパターンを読み取っていたが、これに限らない。例えば、ドットは所定波長の光によって所定波長を発光するインクとし、電子ペン１０のＬＥＤ１５を、ドットのインクを発光させる光を照射するものとし、カメラ１６によってドットのインクが発光する波長の領域を検知することによって、電子ペン１０でドットパターンを読み取るようにしてもよく、カメラ１６によってドットパターンが読み取れれば、ドットのインクの種別やＬＥＤ１５の照射光等は上記実施形態で示したものに限られない。また、専用ペーパー２０における位置座標が特定できるものであれば、ドットパターンの代わりに、別のコード化されたパターン、例えば、２次元コードパターンなどであってもよい。
【００９１】
また、ドットパターンの割り当ては、通常、用紙の用途毎に行われるが、専用ペーパー２０を商業印刷機により大量印刷するような場合には、同一種類の電子ペン用媒体には同じドットパターンが印刷されることになる。この場合、同一種類の電子ペン用媒体を１枚１枚区別するため、電子ペン用媒体には、各媒体を識別する識別情報を記入するための識別情報記入欄を設けるとよい。端末装置２５において、電子ペン１０から取得した記入情報に基づいて、文字認識により識別情報記入欄に記入された識別情報を特定し、当該記入情報と対応付けて記憶しておけば、同種の電子ペン用媒体を１枚１枚区別することができる。この他、ペンＩＤを当該識別情報と共に当該記入情報と対応付けて記憶することとしてもよい。これにより、端末装置２５は、記憶した識別情報もしくは識別情報とペンＩＤに基づいて、各電子ペン用媒体を識別することができる。他方、プリンタにより印刷する場合には、用紙１枚１枚に異なるドットパターンを割り当てて、専用ペーパー２０を印刷することも可能である。この場合、各専用ペーパー２０に印刷されたドットパターンは、専用ペーパー２０毎に異なるため、ドットパターンによって専用ペーパー２０を１枚１枚識別し区別することができる。
【産業上の利用可能性】
【００９２】
本発明は、電子ペン用媒体から構成される辞書類、ショッピングカタログ、問題集、電子ペンや携帯電話に搭載されているアプリケーションを利用者が選択する為のメニュー等、様々な分野で利用することができる。
【図面の簡単な説明】
【００９３】
【図１】電子ペンの使用形態を模式的に示す図である。
【図２】第１実施形態における電子ペンの構成を示すブロック図である。
【図３】専用ペーパーに印刷されたドットパターンによる情報の表現方法を説明する図である。
【図４】（ａ）は、ドットパターンを模式的に示し、（ｂ）は、それに対応する情報の例を示す図である。
【図５】第１実施形態における電子ペン用媒体を示す図である。
【図６】端末装置の機能ブロック図である。
【図７】定義情報のデータ構造を模式的に示す図である。
【図８】座標データを説明する図である。
【図９】出力情報のデータ構造を模式的に示す図である。
【図１０】第１実施形態における専用アプリケーションのモジュール構成図である。
【図１１】第１実施形態における電子ペンの使用形態を示す図である。
【図１２】第１実施形態における音声出力処理のフローチャートである。
【図１３】従来の英和辞典の頁の例である。
【図１４】第２実施形態における電子ペンの構成を示すブロック図である。
【図１５】第２実施形態における音声出力処理のフローチャートである。
【符号の説明】
【００９４】
１０，１０Ａ，１０Ｂ…電子ペン、１１…プロセッサ、１３…データ通信ユニット、１４…バッテリー、１５…ＬＥＤ、１６…カメラ、１８…圧力センサ、２０…専用ペーパー（電子ペン用媒体）、２２…クロック、２５，２５Ａ，２５Ｂ…端末装置、４０…情報記憶手段、４１…記入情報取得手段、４２…開始終了点特定手段、４３…ユーザエリア認識手段、４４…タップ回数カウント手段、４５…変化判定手段、４６…処理データ抽出手段、４７…処理実行手段、４８…音声出力部、４９…表示部、５０…専用アプリケーション、９０〜９２…ユーザエリア
【図１】
2008204216.tif 000003
【図２】
2008204216.tif 000004
【図３】
2008204216.tif 000005
【図４】
2008204216.tif 000006
【図５】
2008204216.tif 000007
【図６】
2008204216.tif 000008
【図７】
2008204216.tif 000009
【図８】
2008204216.tif 000010
【図９】
2008204216.tif 000011
【図１０】
2008204216.tif 000012
【図１１】
2008204216.tif 000013
【図１２】
2008204216.tif 000014
【図１３】
2008204216.tif 000015
【図１４】
2008204216.tif 000016
【図１５】
2008204216.tif 000017